(57)【特許請求の範囲】
【請求項１】
一対の側部の間に棚板を架け渡し、扁平に折り畳み可能な組立棚であって、
前記棚板は、少なくとも２つ折り可能な第１棚板と、前記第１棚板の前記折り部を挟んで一方の側に貼着され、前記第１棚板の展開時に前記第１棚板の前記折り部を挟んで他方の側を係止する第２棚板とを備え、
前記第１棚板には、前記折り部に沿った第１折線と、前記第１折線とは不連続の前記折り部に沿った第２折線と、前記折り部から前記他方の側に突出し前記第１折線及び前記第２折線の対向する端点を結ぶ切り込みとが形成されていることを特徴とする組立棚。
【請求項２】
一対の側部の間に棚板を架け渡し、扁平に折り畳み可能な組立棚であって、
前記棚板は、少なくとも２つ折り可能な第１棚板と、前記第１棚板の前記折り部を挟んで一方の側に貼着され、前記第１棚板の展開時に前記第１棚板の前記折り部を挟んで他方の側を係止する第２棚板とを備え、
前記第２棚板の側端には、突起部が形成され、
前記側部には、前記第１棚板の展開時に前記第２棚板の突起部が差し込まれるスリットが形成されていることを特徴とする組立棚。
【請求項３】
請求項１及び２のいずれか１項に記載の前記棚板であることを特徴とする棚板。
【発明の詳細な説明】
【技術分野】
【０００１】
本発明は、扁平に折り畳み可能な組立棚及びその棚板に係り、特に、耐荷重性を確保し、簡単に組み立てることができる組立棚及び棚板に関する。
【背景技術】
【０００２】
従来、全体を扁平に折り畳み可能な組立棚としては、特許文献１、２記載の陳列台が知られている。
【０００３】
特許文献１記載の陳列台は、後壁と、後壁の両側に折線を介して連設された左右両側壁と、左右両側壁の間に架設される架設板とを備え、後壁の左右方向中央には縦方向に走る中央折線が刻設され、架設板の左右方向中央には前後方向に走る中央折線が刻設されているものである。
【０００４】
特許文献２記載の陳列台は、棚板を背壁に上下方向に回動自在に取り付け、左右両側壁の間に折畳用の斜折線を有する棚受板を渡し、棚受板で棚板を支持するものである。
【先行技術文献】
【特許文献】
【０００５】
【特許文献１】実開昭６２−１４１３７１号公報
【特許文献２】特開２００４−４９７８８号公報
【発明の概要】
【発明が解決しようとする課題】
【０００６】
特許文献１記載の陳列台は、（１）扁平な折畳状態から左右両側壁を離反する方向に広げて後壁及び架設板を展開し、（２）展開した架設板の上に棚板を載置することにより組み立てられる。
【０００７】
特許文献２記載の陳列台は、（１）扁平な折畳状態から左右両側壁を手前に開いて棚受板を展開し、（２）棚板を水平位置まで回動させ、展開した棚受板で支持することにより組み立てられる。
【０００８】
したがって、特許文献１、２記載の陳列台はいずれも、組み立てるまでに少なくとも２つの工程が必要となり、組み立てに手間がかかるという問題があった。棚板を設けなければ少なくとも１つの工程ですむが、耐荷重性が低下するという問題があった。
【０００９】
そこで、本発明は、このような従来の技術の有する未解決の課題に着目してなされたものであって、耐荷重性を確保し、簡単に組み立てることができる組立棚及び棚板を提供することを目的としている。
【課題を解決するための手段】
【００１０】
〔発明１〕  上記目的を達成するために、発明１の組立棚は、一対の側部の間に棚板を架け渡し、扁平に折り畳み可能な組立棚であって、前記棚板は、少なくとも２つ折り可能な第１棚板と、前記第１棚板の前記折り部を挟んで一方の側に貼着され、前記第１棚板の展開時に前記第１棚板の前記折り部を挟んで他方の側を係止する第２棚板とを備える。
【００１１】
このような構成であれば、扁平な折畳状態から両側部を広げると、第１棚板が展開され、第１棚板の折り部を挟んで一方の側に貼着された第２棚板により、第１棚板の折り部を挟んで他方の側が係止されることにより組み立てられる。
【００１２】
ここで、第１棚板は、少なくとも２つ折り可能であればよく、３つ折り可能であってもよいし、４つ折り以上可能であってもよい。
【００１３】
また、第２棚板は、第１棚板の折り部を挟んで一方の側の一部又は全部に接着等されることにより当該一方の側に貼着されていてもよいし、第１棚板の折り部を挟んで他方の側のうち折線を介さずに一方の側と連続する部分の一部又は全部に接着等されることにより当該一方の側に貼着されていてもよい。すなわち、「貼着」とは、接着剤等により分離不能に接着されている状態までをいうのではなく、第１棚板の折り部を挟んで一方の側と第２棚板が密着している状態であれば足りる。接着等の方法は、例えば、接着剤等により接着する方法、ビス等で結合する方法、嵌め込み式で結合する方法が考えられる。接着等の箇所は、第１棚板の折り部を挟んで一方の側又は上記連続する部分の一部又は全部と、第２棚板のいずれかの部分であればよい。
【００１４】
また、第１棚板及び第２棚板と両側部との関係については、第１棚板又は第２棚板の一方の側端が一方の側部に架かり、第１棚板又は第２棚板の他方の側端が他方の側部に架かることにより両側部の間に棚板を架け渡す構成となっていればよく、具体的には、次の構成が考えられる。第１棚板の両側端がそれぞれ両側部に架かる構成において、（１）第２棚板の側端がいずれの側部にも架からない構成、（２）第２棚板の一方の側端が一方の側部に架かる構成、（３）第２棚板の他方の側端が他方の側部に架かる構成である。（４）第１棚板の一方の側端が一方の側部に架かり、第２棚板の他方の側端が他方の側部に架かる構成である。（５）第１棚板の他方の側端が他方の側部に架かり、第２棚板の一方の側端が一方の側部に架かる構成である。
【００１５】
また、側部としては、例えば、板のように面状のものであってもよいし、枠や柱のように棒状のものであってもよい。
【００１６】
〔発明２〕  さらに、発明２の組立棚は、発明１の組立棚において、前記第１棚板には、前記折り部に沿った第１折線と、前記第１折線とは不連続の前記折り部に沿った第２折線と、前記折り部から前記他方の側に突出し前記第１折線及び前記第２折線の対向する端点を結ぶ切り込みとが形成されている。
【００１７】
このような構成であれば、折り部では、第１折線及び第２折線で折れるが、第１折線及び第２折線の対向する端点の間は折れないので、折り部が全部折れる構成に比して、耐荷重性を向上することができる。
【００１８】
〔発明３〕  さらに、発明３の組立棚は、発明１及び２のいずれか１の組立棚において、前記第２棚板の側端には、突起部が形成され、前記側部には、前記第１棚板の展開時に前記第２棚板の突起部が差し込まれるスリットが形成されている。
【００１９】
このような構成であれば、第１棚板を展開すると、第２棚板の突起部が側部のスリットに差し込まれ、第２棚板が固定されるので、第１棚板が展開した組立状態を維持することができる。
【００２０】
〔発明４〕  一方、上記目的を達成するために、発明４の棚板は、発明１乃至３のいずれか１の前記棚板である。
【００２１】
このような構成であれば、発明１乃至３のいずれか１の組立棚に適用した場合、発明１乃至３のいずれか１の組立棚と同等の作用及び効果が得られる。
【発明の効果】
【００２２】
以上説明したように、発明１の組立棚によれば、扁平な折畳状態から両側部を広げると組み立てられるので、少なくとも１つの工程ですみ、従来に比して、簡単に組み立てることができる。また、第１棚板が第２棚板により補強されるので、耐荷重性を確保することができる。
【図面の簡単な説明】
【００２３】
【図１】商品陳列棚１００の右上方からみた斜視図である。
【図２】左側板３０ａ、背板１０及び右側板３０ｂの展開図である。
【図３】棚板５０の展開図である。
【図４】棚板５０の正面図である。
【図５】商品陳列棚１００の組立手順を示す図である。
【図６】棚板５０の展開図である。
【図７】下棚板５１及び上棚板５２と左側板３０ａ及び右側板３０ｂとの架設構成の変形例である。
【図８】棚板５０を設置する構成の変形例である。
【図９】下棚板５１を折り畳む構成の変形例である。
【図１０】下棚板５１を折り畳む構成の変形例である。
【図１１】下棚板５１を折り畳む構成の変形例である。
【図１２】背板１０を折り畳む構成の変形例である。
【発明を実施するための形態】
【００２４】
以下、本発明の実施の形態を説明する。図１乃至図５は、本実施の形態を示す図である。
【００２５】
まず、本実施の形態に係る商品陳列棚１００の構成を説明する。
図１は、商品陳列棚１００の右上方からみた斜視図である。
【００２６】
商品陳列棚１００は、図１に示すように、背板１０と、背板１０に対し直角となるように背板１０の左側に連設された左側板３０ａと、背板１０に対し直角となるように背板１０の右側に連設された右側板３０ｂと、左側板３０ａ及び右側板３０ｂの間に架け渡された複数の棚板５０とを備え、全体が扁平に折り畳み可能に構成されている。背板１０、左側板３０ａ、右側板３０ｂ及び棚板５０は、例えば、ダンボール等の厚紙で構成されている。
【００２７】
次に、背板１０、左側板３０ａ及び右側板３０ｂの構成を説明する。
図２は、左側板３０ａ、背板１０及び右側板３０ｂの展開図である。同図（ａ）は、左側板３０ａの展開図である。同図（ｂ）は、背板１０の背面方向からみた展開図である。同図（ｃ）は、右側板３０ｂの展開図である。図２中、点線は山折りを示し、一点鎖線は谷折りを示す。
【００２８】
背板１０の左右方向中央には、図２（ｂ）に示すように、上下方向に走る中央折線１１が形成されている。背板１０の上部（組立時の左側板３０ａ及び右側板３０ｂの上端と同一の位置）には、左右方向に走る上部折線１２が形成されている。
【００２９】
左側板３０ａの左右方向中央には、図２（ａ）に示すように、上下方向に走る２本の中央折線３１ａ、３２ａが形成されている。中央折線３１ａで直角に折り、中央折線３２ａでさらに直角に折ることにより、内側面３３ａと外側面３４ａが対向する。
【００３０】
左側板３０ａの左部には、上下方向に走る２本の左部折線３５ａ、３６ａが形成されている。左部折線３５ａで直角に折り、左部折線３６ａでさらに直角に折り、左部折線３６ａよりも左側の糊代３７ａを内側面３３ａの裏面に接着剤等により接着する。
【００３１】
左側板３０ａの左右方向中央上部には、右斜め上に走る２本の右斜折線３８ａ、３９ａが形成されている。右斜折線３８ａで直角に折り、右斜折線３９ａでさらに直角に折り、右斜折線３９ａよりも上側の糊代４０ａを外側面３４ａの裏面に接着剤等により接着する。
【００３２】
左側板３０ａの右上部には、左右方向に走る２本の右上折線４１ａ、４２ａが形成されている。右上折線４１ａで直角に折り、右上折線４２ａでさらに直角に折り、右上折線４２ａよりも上側の糊代４３ａを外側面３４ａの裏面に接着剤等により接着する。
【００３３】
左側板３０ａの右部には、上下方向に走る右部折線４４ａが形成されている。右部折線４４ａで直角に折り、右部折線４４ａよりも右側の糊代４５ａを背板１０の背面に接着剤等により接着する。
【００３４】
内側面３３ａには、左右方向に走る複数のスリット４６ａが上下方向に所定間隔で形成されている。スリット４６ａには、棚板５０の左側端が差し込まれる。
【００３５】
右側板３０ｂの左右方向中央には、図２（ｃ）に示すように、上下方向に走る２本の中央折線３１ｂ、３２ｂが形成されている。中央折線３１ｂで直角に折り、中央折線３２ｂでさらに直角に折ることにより、内側面３３ｂと外側面３４ｂが対向する。
【００３６】
右側板３０ｂの右部には、上下方向に走る２本の右部折線３５ｂ、３６ｂが形成されている。右部折線３５ｂで直角に折り、右部折線３６ｂでさらに直角に折り、右部折線３６ｂよりも右側の糊代３７ｂを内側面３３ｂの裏面に接着剤等により接着する。
【００３７】
右側板３０ｂの左右方向中央上部には、左斜め上に走る２本の左斜折線３８ｂ、３９ｂが形成されている。左斜折線３８ｂで直角に折り、左斜折線３９ｂでさらに直角に折り、左斜折線３９ｂよりも上側の糊代４０ｂを外側面３４ｂの裏面に接着剤等により接着する。
【００３８】
右側板３０ｂの左上部には、左右方向に走る２本の左上折線４１ｂ、４２ｂが形成されている。左上折線４１ｂで直角に折り、左上折線４２ｂでさらに直角に折り、左上折線４２ｂよりも上側の糊代４３ｂを外側面３４ｂの裏面に接着剤等により接着する。
【００３９】
右側板３０ｂの左部には、上下方向に走る左部折線４４ｂが形成されている。左部折線４４ｂで直角に折り、左部折線４４ｂよりも左側の糊代４５ｂを背板１０の背面に接着剤等により接着する。
【００４０】
内側面３３ｂには、左右方向に走る複数のスリット４６ｂが上下方向に所定間隔で形成されている。各スリット４６ｂは、各棚板５０が水平となるように各スリット４６ａと同一の位置に形成されている。スリット４６ｂには、棚板５０の右側端が差し込まれる。
【００４１】
次に、棚板５０の構成を説明する。
図３は、棚板５０の展開図である。図３中、点線は山折りを示し、一点鎖線は谷折りを示す。
【００４２】
棚板５０は、図３に示すように、下棚板５１と、下棚板５１の上端に連設された上棚板５２と、上棚板５２の上端に連設された落止板５３とを有して構成されている。
【００４３】
下棚板５１の左右方向中央上部には、上下方向に走る中央折線５４が形成されている。下棚板５１の左右方向中央下部には、中央折線５４の延長線に上下方向に走る中央折線５５が形成されている。中央折線５４、５５は、不連続となっている。下棚板５１の左右方向中央には、左方にコの字状に突出し中央折線５４、５５の対向する端点を結ぶ切り込み５６が形成されている。
【００４４】
下棚板５１の中央折線５４、５５を挟んで右側の部分及び切り込み５６を外郭とする台形部（以下、これらを下棚板固定部５７という。）の上端と上棚板５２の右下端との間には、左右方向に走る右部折線６０が形成されている。右部折線６０で１８０度に折ることにより、下棚板５１の上面と上棚板５２の下面とが合わさる。下棚板固定部５７は、上棚板５２の下面に接着剤等により接着されている。
【００４５】
下棚板５１の中央折線５４、５５を挟んで左側の部分（以下、下棚板回動部という。）５８の上端と上棚板５２の左下端との間には、左右方向に走る切り込み５９が形成されている。下棚板回動部５８は、上棚板５２とは接着されていないので、中央折線５４、５５を軸に回動する。
【００４６】
下棚板５１の左部には、上下方向に走る左部折線６１が形成されている。左部折線６１で直角に折り、左部折線６１よりも左側の糊代６２をスリット４６ａに差し込み、内側面３３ａの裏面に接着剤等により接着する。
【００４７】
下棚板５１の右部には、上下方向に走る右部折線６３が形成されている。右部折線６３で直角に折り、右部折線６３よりも右側の糊代６４をスリット４６ｂに差し込み、内側面３３ｂの裏面に接着剤等により接着する。
【００４８】
上棚板５２の左部には、スリット４６ａに差し込まれる突起部６５が形成されている。
落止板５３の上下方向中央には、左右方向に走る中央折線７１が形成されている。中央折線７１で１８０度に折ることにより、落止板５３の上部裏面と落止板５３の下部裏面とが合わさる。これらは接着剤等により接着されている。
【００４９】
上棚板５２の左上端と落止板５３の左下端の間には、左右方向に走る左部折線６６が形成されている。上棚板５２の右上端と落止板５３の右下端の間には、左右方向に走る右部折線６７が形成されている。左部折線６６及び右部折線６７は、不連続となっている。上棚板５２の中央上端には、下方にコの字状に突出し左部折線６６及び右部折線６７の対向する端点を結ぶ切り込み６８が形成されている。同様に、左右両側端にも切り込み６９、７０が形成されている。左部折線６６及び右部折線６７で直角に折ることにより、切り込み６８を外郭とする中央台形部、切り込み６９を外郭とする左台形部及び切り込み７０を外郭とする右台形部がそれぞれ垂直に立ち上がり、棚板５０の上に陳列された商品の落下が防止される。
【００５０】
図４は、棚板５０の正面図である。
図４に示すように、下棚板回動部５８が下棚板固定部５７に面接触するまで下棚板５１の左右両側端を接近させると、上棚板５２が起立状態となって棚板５０が折り畳まれる。これに対し、下棚板固定部５７及び下棚板回動部５８が水平となるまで下棚板５１の左右両側端を離反させると、上棚板５２が水平状態となって棚板５０が展開される。棚板５０の展開時は、下棚板回動部５８が上棚板５２で係止される。
【００５１】
次に、本実施の形態の動作を説明する。
図５は、商品陳列棚１００の組立手順を示す図である。
【００５２】
商品陳列棚１００は、ドラッグストアやコンビニエンスストア等の小売店に扁平な折畳状態で納品される。扁平な折畳状態から左側板３０ａ及び右側板３０ｂを離反する方向に広げると、図５（ａ）、（ｂ）に示すように、背板１０及び下棚板５１が展開され、起立状態から倒れ込む上棚板５２が下棚板回動部５８と接触し、上棚板５２が水平状態となって下棚板回動部５８を係止することにより組み立てられる。下棚板５１の展開時は、図５（ｃ）に示すように、突起部６５がスリット４６ａに差し込まれ、上棚板５２が固定される。
【００５３】
商品陳列棚１００の組み立てが完了すると、各棚板５０の上に所望の商品を陳列することができる。このとき、落止板５３が棚板５０の前面で垂直に立ち上がっているので、落止板５３により、棚板５０の上に陳列された商品の落下が防止される。
【００５４】
このようにして、本実施の形態では、棚板５０は、２つ折り可能な下棚板５１と、下棚板固定部５７に接着され、下棚板５１の展開時に下棚板回動部５８を係止する上棚板５２とを備える。
【００５５】
これにより、扁平な折畳状態から左側板３０ａ及び右側板３０ｂを広げると組み立てられるので、少なくとも１つの工程ですみ、従来に比して、簡単に組み立てることができる。また、下棚板５１が上棚板５２により補強されるので、耐荷重性を確保することができる。
【００５６】
さらに、本実施の形態では、下棚板５１には、折り部に沿った中央折線５４と、中央折線５４とは不連続の折り部に沿った中央折線５５と、折り部から左方に突出し中央折線５４、５５の対向する端点を結ぶ切り込み５６とが形成されている。
【００５７】
これにより、折り部では、中央折線５４、５５で折れるが、中央折線５４、５５の対向する端点の間は折れないので、折り部が全部折れる構成に比して、耐荷重性を向上することができる。
【００５８】
さらに、本実施の形態では、上棚板５２の左部には、突起部６５が形成され、内側面３３ａには、下棚板５１の展開時に突起部６５が差し込まれるスリット４６ａが形成されている。
【００５９】
これにより、下棚板５１を展開すると、突起部６５がスリット４６ａに差し込まれ、上棚板５２が固定されるので、下棚板５１が展開した組立状態を維持することができる。
【００６０】
さらに、本実施の形態では、下棚板５１、上棚板５２及び落止板５３が単一の板材から構成されている。
【００６１】
これにより、下棚板５１及び上棚板５２の二重構造に落止板５３を有する棚板５０を比較的容易に製造することができる。また、落止板５３も二重構造とすることができるので、商品の落下に対する耐荷重性を向上することができる。
【００６２】
本実施の形態において、下棚板５１は、発明１乃至３の第１棚板に対応し、上棚板５２は、発明１又は３の第２棚板に対応し、中央折線５４は、発明２の第１折線に対応し、中央折線５５は、発明２の第２折線に対応している。
【００６３】
〔変形例〕
なお、上記実施の形態においては、下棚板５１を下に、上棚板５２を上にして棚板５０を設置したが、これに限らず、下棚板５１を上に、上棚板５２を下にして棚板５０を設置することもできる。
【００６４】
また、上記実施の形態及びその変形例においては、下棚板５１と上棚板５２とを一体に形成したが、これに限らず、図６に示すように、下棚板５１と上棚板５２とを別体に形成することもできる。この場合、下棚板固定部５７を上棚板５２の下面に接着剤等により接着すればよい。
【００６５】
図６は、棚板５０の展開図である。図６中、点線は山折りを示し、一点鎖線は谷折りを示す。
【００６６】
また、上記実施の形態及びその変形例においては、下棚板５１の左右両側端がそれぞれ左側板３０ａ及び右側板３０ｂに架かり、上棚板５２の左右両側端がそれぞれ左側板３０ａ及び右側板３０ｂに架かる構成としたが、これに限らず、図７に示すような構成とすることもできる。
【００６７】
図７は、下棚板５１及び上棚板５２と左側板３０ａ及び右側板３０ｂとの架設構成の変形例である。
【００６８】
同図（ａ）の構成は、下棚板５１の左右両側端がそれぞれ左側板３０ａ及び右側板３０ｂに架かり、上棚板５２の左右両側端のいずれも左側板３０ａ及び右側板３０ｂに架からない構成である。上棚板５２は、下棚板５１の左側の下棚板固定部５７に接着されている。
【００６９】
同図（ｂ）の構成は、下棚板５１の左右両側端がそれぞれ左側板３０ａ及び右側板３０ｂに架かり、上棚板５２の左右両側端のいずれも左側板３０ａ及び右側板３０ｂに架からない構成である。同図（ａ）の構成と異なるのは、棚板５０の左右が反転している点である。
【００７０】
同図（ｃ）の構成は、下棚板５１の左右両側端がそれぞれ左側板３０ａ及び右側板３０ｂに架かり、上棚板５２の右側端のみが右側板３０ｂに架かる構成である。上棚板５２は、下棚板５１の左側の下棚板固定部５７に接着されている。突起部６５は、上棚板５２の右部に形成されている。
【００７１】
同図（ｄ）の構成は、下棚板５１の左右両側端がそれぞれ左側板３０ａ及び右側板３０ｂに架かり、上棚板５２の左側端のみが左側板３０ａに架かる構成である。同図（ｃ）の構成と異なるのは、棚板５０の左右が反転している点である。
【００７２】
同図（ｅ）の構成は、下棚板５１の左右両側端がそれぞれ左側板３０ａ及び右側板３０ｂに架かり、上棚板５２の左側端のみが左側板３０ａに架かる構成である。上棚板５２は、下棚板５１の左側の下棚板固定部５７に接着されている。
【００７３】
同図（ｆ）の構成は、下棚板５１の左右両側端がそれぞれ左側板３０ａ及び右側板３０ｂに架かり、上棚板５２の右側端のみが右側板３０ｂに架かる構成である。同図（ｅ）の構成と異なるのは、棚板５０の左右が反転している点である。
【００７４】
同図（ｇ）の構成は、下棚板５１の左右両側端がそれぞれ左側板３０ａ及び右側板３０ｂに架かり、上棚板５２の左右両側端がそれぞれ左側板３０ａ及び右側板３０ｂに架かる構成である。上記実施の形態と異なるのは、棚板５０の左右が反転している点である。
【００７５】
同図（ｈ）の構成は、下棚板５１の右側端のみが右側板３０ｂに架かり、上棚板５２の左側端のみが左側板３０ａに架かる構成である。上棚板５２は、下棚板５１の左側の下棚板固定部５７に接着されている。
【００７６】
同図（ｉ）の構成は、下棚板５１の左側端のみが左側板３０ａに架かり、上棚板５２の右側端のみが右側板３０ｂに架かる構成である。同図（ｈ）の構成と異なるのは、棚板５０の左右が反転している点である。
【００７７】
同図（ｊ）の構成は、下棚板５１の右側端のみが右側板３０ｂに架かり、上棚板５２の左右両側端がそれぞれ左側板３０ａ及び右側板３０ｂに架かる構成である。上棚板５２は、下棚板５１の左側の下棚板固定部５７に接着されている。突起部６５は、上棚板５２の右部に形成されている。
【００７８】
同図（ｋ）の構成は、下棚板５１の左側端のみが左側板３０ａに架かり、上棚板５２の左右両側端がそれぞれ左側板３０ａ及び右側板３０ｂに架かる構成である。同図（ｊ）の構成と異なるのは、棚板５０の左右が反転している点である。
【００７９】
また、上記実施の形態及びその変形例においては、棚板５０を水平に設置したが、これに限らず、図８に示すように、斜めに設置することもできる。
【００８０】
図８は、棚板５０を設置する構成の変形例である。
同図（ａ）の構成は、下棚板回動部５８の左側端を下棚板固定部５７の右側端よりも高い位置に設置する構成である。
【００８１】
同図（ｂ）の構成は、下棚板回動部５８の左側端を下棚板固定部５７の右側端よりも低い位置に設置する構成である。
【００８２】
図８の構成は、左右方向に傾斜をつけて設置した例であるが、同様に、前後方向に傾斜をつけて棚板５０を設置することもできるし、左右方向及び前後方向に傾斜をつけて棚板５０を設置することもできる。
【００８３】
また、上記実施の形態及びその変形例においては、棚板５０を左右方向中央の位置で折るように構成したが、これに限らず、図９に示すように、左右方向中央以外の箇所で折るように構成することもできる。
【００８４】
図９は、下棚板５１を折り畳む構成の変形例である。
同図（ａ）の構成は、下棚板回動部５８の左右方向の長さを下棚板固定部５７の左右方向の長さよりも短くすることにより、棚板５０を左右方向中央から左方の位置で折るようになっている。
【００８５】
同図（ｂ）の構成は、下棚板回動部５８の左右方向の長さを下棚板固定部５７の左右方向の長さよりも長くすることにより、棚板５０を左右方向中央から右方の位置で折るようになっている。
【００８６】
図９の構成によれば、棚板５０の高さ方向の間隔を短くすることができるので、棚板５０の高さ方向のレイアウトの自由度を向上することができる。
【００８７】
また、上記実施の形態及びその変形例においては、棚板５０を左右方向中央の位置で折るように構成したが、これに限らず、図１０に示すように、下棚板５１を上方からみたときに斜め等に折るように構成することもできる。
【００８８】
図１０は、下棚板５１を折り畳む構成の変形例である。図１０中、点線は山折りを示し、一点鎖線は谷折りを示す。
【００８９】
同図（ａ）の構成において、下棚板５１の左右方向中央には、前後方向に走る中央折線７４が形成され、下棚板５１の左部には、左後端から中央折線７４の前端まで走る左斜折線７２が形成され、下棚板５１の右部には、右後端から中央折線７４の前端まで走る右斜折線７３が形成されている。
【００９０】
同図（ｂ）の構成は、同図（ａ）の構成において中央折線７４が形成されていないものである。
【００９１】
また、上記実施の形態及びその変形例においては、下棚板５１を２つ折り可能に構成したが、これに限らず、図１１に示すように、２つ折り以上可能に構成することもできる。
【００９２】
図１１は、下棚板５１を折り畳む構成の変形例である。
同図（ａ）の構成は、下棚板５１を３つ折り可能に構成ものであり、同図（ｂ）の構成は、下棚板５１を４つ折り可能に構成ものであり、同図（ｃ）の構成は、下棚板５１を５つ折り可能に構成ものである。６つ折り以上の構成についても同様である。
【００９３】
また、上記実施の形態及びその変形例においては、背板１０を左右方向中央の位置で折るように構成したが、これに限らず、図１２に示すように、左右方向中央以外の箇所で折るように構成することもできる。
【００９４】
図１２は、背板１０を折り畳む構成の変形例である。
同図（ａ）の構成は、中央折線１１を挟んで左側の部分の左右方向の長さを、中央折線１１を挟んで右側の部分の左右方向の長さよりも短くすることにより、背板１０を左右方向中央から左方の位置で折るようになっている。
【００９５】
同図（ｂ）の構成は、中央折線１１を挟んで左側の部分の左右方向の長さを、中央折線１１を挟んで右側の部分の左右方向の長さよりも長くすることにより、背板１０を左右方向中央から右方の位置で折るようになっている。
【００９６】
また、上記実施の形態及びその変形例においては、下棚板５１の折り部に不連続の中央折線５４、５５を形成したが、この構成においては、次の変形例が考えられる。第１の構成は、中央折線５４、５５の長さを、中央折線５４、５５の対向する端点の間（以下、不連続部という。）の長さよりも長くする。これにより、折れる箇所が長くなるので、中央折線５４、５５の部分の曲げ強度を向上することができる。第２の構成は、逆に、中央折線５４、５５の長さを不連続部の長さよりも短くする。これにより、折れない箇所が長くなるので、耐荷重性を向上することができる。
【００９７】
また、上記実施の形態及びその変形例においては、すべての糊代３７ａ、４０ａ、４３ａ、４５ａ、３７ｂ、４０ｂ、４３ｂ、４５ｂ、６２、６４を接着して構成したが、これに限らず、折畳状態では、一部の糊代（例えば、糊代４５ａ、４５ｂ、６２、６４）だけを接着して構成することもできる。この場合、組立時に、残りの糊代を接着すればよい。これにより、左側板３０ａ又は右側板３０ｂを扁平に折り畳むことができるので、全体をより扁平に折り畳み可能とすることができる。
【００９８】
また、上記実施の形態及びその変形例においては、下棚板固定部５７には、切り込み５６を外郭とする台形部を１つだけ形成したが、これに限らず、上棚板５２及び落止板５３の間の構成（中央台形部、左台形部及び右台形部）ように、複数の台形部を形成することもできる。逆に、上棚板５２及び落止板５３の間の構成については、台形部を１つ形成してもよいし、２つ形成してもよいし、４つ以上形成してもよい。
【００９９】
また、上記実施の形態及びその変形例においては、折り部に沿った中央折線５４と、中央折線５４とは不連続の折り部に沿った中央折線５５と、折り部から左方に突出し中央折線５４、５５の対向する端点を結ぶ切り込み５６とを形成したが、これに限らず、中央折線５５を形成せず、切り込み５６が中央折線５４の端点から下棚板５１の下端までを結ぶように形成してもよい。同様に、中央折線５４を形成せず、切り込み５６が中央折線５５の端点から下棚板５１の上端までを結ぶように形成してもよい。
【０１００】
また、上記実施の形態及びその変形例においては、棚板５０の左右方向中央後端にＶ字状の切欠が形成されているが、例えば、棚板５０の展開時に上記Ｖ字状の切欠と係合する突起を背板１０の前面に形成すれば、棚板５０が固定されるので、棚板５０が展開した組立状態を維持することができる。なお、上記Ｖ字状の切欠は、棚板５０の左右方向中央に形成することに限らず、棚板５０の後端であれば任意の箇所に形成することができる。上記Ｖ字状の切欠に係合する突起についても同様である。
【０１０１】
また、上記実施の形態及びその変形例においては、左側板３０ａ及び右側板３０ｂを板状の部材として構成したが、これに限らず、枠や柱のような棒状の部材として構成し、左側柱及び右側柱の間に棚板５０を架け渡すように構成することもできる。例えば、特開２０１２−１００７６７号公報、特開２００６−１３６５７４号公報、特開２００５−３８４号公報、特開２００３−１７４９３８号公報、特開２００２−９５５６０号公報等の公知技術を適用することができる。
【０１０２】
また、上記実施の形態及びその変形例においては、下棚板固定部５７を上棚板５２の下面に接着したが、これに限らず、下棚板固定部５７のうち切り込み５６を外郭とする台形部の一部又は全部を上棚板５２の下面に接着することもできるし、下棚板固定部５７のうち下棚板５１の中央折線５４、５５を挟んで右側の部分の一部又は全部を上棚板５２の下面に接着することもできる。
【０１０３】
また、上記実施の形態及びその変形例においては、背板１０を設けたが、これに限らず、背板１０は設けなくてもよい。
【０１０４】
また、上記実施の形態及びその変形例においては、背板１０、左側板３０ａ、右側板３０ｂ及び棚板５０をダンボール等の厚紙で構成したが、これに限らず、任意の素材で構成することができる。また、背板１０、左側板３０ａ、右側板３０ｂ及び棚板５０をそれぞれ別の素材で構成することもできる。
【０１０５】
また、上記実施の形態及びその変形例においては、３つの棚板５０を設けたが、これに限らず、棚板５０は、１つであってもよいし、２つであってもよいし、４つ以上であってもよい。
【０１０６】
また、上記実施の形態及びその変形例においては、糊代を接着剤等により接着したが、これに限らず、ビス等で結合することもできるし、嵌め込み式で結合することもできる。
【０１０７】
また、上記実施の形態及びその変形例においては、本発明を商品陳列棚１００に適用したが、これに限らず、本発明の主旨を逸脱しない範囲で他の場合にも適用可能である。他の陳列棚、収納棚、食器棚、茶棚、書棚、本棚、神棚その他あらゆる種類の棚に適用することができる。
【符号の説明】
【０１０８】
１００…商品陳列棚、  １０…背板、  ３０ａ…左側板、  ３０ｂ…右側板、  ５０…棚板、  ５１…下棚板、  ５２…上棚板、  ５３…落止板、  ５７…下棚板固定部、  ５８…下棚板回動部、  ６５…突起部、  ３３ａ，３３ｂ…内側面、  ３４ａ，３４ｂ…外側面、  １１，３１ａ，３１ｂ，３２ａ，３２ｂ，５４，５５，７１，７４…中央折線、  １２…上部折線、  ３５ａ，３６ａ，４４ｂ，６１，６６…左部折線、  ３５ｂ，３６ｂ，４４ａ，６０，６３，６７…右部折線、  ３８ａ，３９ａ，７３…右斜折線、  ３８ｂ，３９ｂ，７２…左斜折線、  ４１ａ，４２ａ…右上折線、  ４１ｂ，４２ｂ…左上折線、  ４６ａ，４６ｂ…スリット、  ３７ａ，４０ａ，４３ａ，４５ａ，３７ｂ，４０ｂ，４３ｂ，４５ｂ，６２，６４…糊代、  ５６，５９，６８〜７０…切り込み
【図１】
0005950703.tif 000002
【図２】
0005950703.tif 000003
【図３】
0005950703.tif 000004
【図４】
0005950703.tif 000005
【図５】
0005950703.tif 000006
【図６】
0005950703.tif 000007
【図７】
0005950703.tif 000008
【図８】
0005950703.tif 000009
【図９】
0005950703.tif 000010
【図１０】
0005950703.tif 000011
【図１１】
0005950703.tif 000012
【図１２】
0005950703.tif 000013